(57)【要約】【課題】芝刈時に本体底部に入り込んだ石等によって回転刃が破損することを抑制でき、更に、芝の刈込高さを均一にし、より良好な仕上がりを得ることができる芝刈機を提供すること。【解決手段】モータと、モータにより駆動される回転刃と、前記回転刃の高さを調整する回転刃高さ調整機構を有する芝刈機において、回転刃の進行方向前方側には、回転刃の円周方向を覆う櫛状部材を配設し、更に、櫛状部材の高さ位置を調整するための櫛状部材位置調整機構を設けた。【選択図】  図２
2010273642.tif 000002
【特許請求の範囲】
【請求項１】
駆動源を備えた本体の底部に、前記駆動源の駆動を受けて回転する円盤状の回転刃を設け、本体前方の開口部より進入した芝を切断するよう構成した芝刈機であって、
前記回転刃の進行方向前方側には、前記回転刃の円周方向を覆う櫛状部材が配設されていることを特徴とする芝刈機。
【請求項２】
前記回転刃の高さを調節する高さ調整機構を備え、
前記櫛状部材は、回転刃と独立して高さ方向に位置調節可能に設けられていることを特徴とする芝刈機。
【請求項３】
前記櫛状部材は、前記回転刃の回転平面に対して略平行な底面部と、前記回転刃に対して傾斜した傾斜部とを有する芝起こし手段を備えていることを特徴とする
【請求項４】
前記櫛状部材は、前記回転刃の回転平面に対して略平行な底面部と、前記回転刃に対して傾斜した傾斜部とを有し、前記底面部と前記傾斜部とから成る領域が、進行方向前方に向かうにつれて狭まるよう構成されると共に、前記回転刃は前記領域内に位置することを特徴とする芝刈機。
【請求項５】
前記回転刃と同軸上に重なる位置に配設され、前記回転刃との摺り合わせによって芝の切断作業を行う一対の切断部を構成する固定刃を備えていることを特徴とする芝刈機。
【請求項６】
前記回転刃は前記固定刃側に付勢されていると共に、前記固定刃に対して軸方向に移動可能に構成されていることを特徴とする芝刈機。
【請求項７】
前記駆動源を覆う本体カバーを備え、前記櫛状部材の位置を操作する位置調整レバーが前記本体カバーから露出して操作可能に設けられていることを特徴とする芝刈機。
【請求項８】
前記櫛状部材は、進行方向前方側の縁部が、前記回転刃に沿って円弧状に形成されていることを特徴とする芝刈機。
【請求項９】
駆動源を備えた本体の底部に、前記駆動源の駆動を受けて回転する円盤状の回転刃を設け、前記回転刃の高さを調節する高さ調整機構を備えて構成した芝刈機であって、
前記回転刃の進行方向前方側には、回転刃と独立して高さ方向に位置調節可能な櫛状部材が配設されていることを特徴とする芝刈機。
【発明の詳細な説明】
【技術分野】
【０００１】
本発明は、モータによって回転刃を駆動して芝や草を刈り取るための芝刈機に関し、特に、芝の刈込高さを均一にし、より良好な仕上がりを得るためのものである。
【背景技術】
【０００２】
従来より芝を切断するための芝刈機として、本体部に駆動源を積載し、駆動源の動力によって本体底部に設けられた回転刃を回転させて芝や草を切断するものが知られている。特許文献１に記載の芝刈機は、駆動源として電動モータを備え、作業者が本体から斜め後方に延びたハンドル部を把持し、前方に押すことによって走行させる手押し式の芝刈機であり、電動モータを駆動させた状態でこれを走行させることにより本体の底部に設けられた回転刃と固定刃とによって芝生を鋏み切り、芝生を刈り取るものである。また、芝生の刈り取り作業において、倒れた芝生を起こして刈り残しを少なくするため、特許文献２に記載の芝刈機のように、回転刃より進行方向前方側に設けられたくし歯によって、芝生を整えながら切断作業を行うものが知られている。
【先行技術文献】
【特許文献】
【０００３】
【特許文献１】特開昭５９−５９１１３号公報
【特許文献２】特公昭５９−２５５６４号公報
【発明の開示】
【発明が解決しようとする課題】
【０００４】
しかしながら、上述のような芝刈機においては、芝刈機の前方には芝を本体底部に取り込むための開口が必要であるため、石等が侵入して回転刃と衝突することで、刃部を破損させる恐れがあった。
【０００５】
本発明は上記問題を鑑みてなされたもので、その目的とする処は、簡便且つ安価な構成にて回転刃の破損を抑制することができる芝刈機を提供することである。
【課題を解決するための手段】
【０００６】
本願において開示される発明のうち、代表的なものの特徴を説明すれば、次の通りである。
【０００７】
本発明の一つの特徴によれば、駆動源を備えた本体の底部に、駆動源の駆動を受けて回転する円盤状の回転刃を設け、本体前方の開口部より進入した芝を切断するよう構成した芝刈機であって、回転刃の進行方向前方側には、回転刃の円周方向を覆う櫛状部材が配設されていることを特徴とする。
【０００８】
また、本発明の別の特徴によれば、駆動源を備えた本体の底部に、駆動源の駆動を受けて回転する円盤状の回転刃を設け回転刃の高さを調節する高さ調整機構を備えて構成した芝刈機であって、回転刃の進行方向前方側には、回転刃と独立して高さ方向に位置調節可能な櫛状部材が配設されていることを特徴とする。
【発明の効果】
【０００９】
請求項１に記載の発明によれば、駆動源を備えた本体の底部に、駆動源の駆動を受けて回転する円盤状の回転刃を設け、本体前方の開口部より進入した芝を切断するよう構成した芝刈機であって、回転刃の進行方向前方側には、回転刃の円周方向を覆う櫛状部材が配設されていることにより、石などの異物が回転刃に接触しにくくなり、回転刃の破損が発生しにくくなる。
【００１０】
請求項２に記載の発明によれば、回転刃の高さを調節する高さ調整機構を備え、櫛状部材は、回転刃と独立して高さ方向に位置調節可能に設けられていることにより、芝の状態や必要に応じて櫛状部材を用いることが可能となる。
【００１１】
請求項３に記載の発明によれば、櫛状部材は、回転刃の回転平面に対して略平行な底面部と、回転刃に対して傾斜した傾斜部とを有する芝起こし手段を備えていることにより、倒れた芝をより起こし易くすることが可能となる。
【００１２】
請求項４に記載の発明によれば、櫛状部材は、回転刃の回転平面に対して略平行な底面部と、回転刃に対して傾斜した傾斜部とを有し、底面部と傾斜部とから成る領域が、進行方向前方に向かうにつれて狭まるよう構成されると共に、回転刃は前記領域内に位置することにより、回転刃の全面側を確実に覆うことができる。
【００１３】
請求項５に記載の発明によれば、回転刃と同軸上に重なる位置に配設され、回転刃との摺り合わせによって芝の切断作業を行う一対の切断部を構成する固定刃を備えていることを特徴とする芝刈機。回転刃と固定刃の間で挟み切る様に芝を刈り取るため、芝の仕上がりをよりきれいにすることが可能となる。
【００１４】
請求項６に記載の発明によれば、回転刃は固定刃側に付勢されていると共に、固定刃に対して軸方向に移動可能に構成されているため、枝などを噛み込んだ際に衝撃を逃がすことができ、振動や衝撃を緩和させることが可能となる。
【００１５】
請求項７に記載の発明によれば、前記駆動源を覆う本体カバーを備え、前記櫛状部材の位置を操作する位置調整レバーが前記本体カバーから露出して操作可能に設けられているため、容易に位置調整を行うことが可能である。
【００１６】
請求項８に記載の芝刈機によれば、前記櫛状部材は、進行方向前方側の縁部が、前記回転刃に沿って円弧状に形成されているため、幅方向に均一な芝刈り高さを得ることが可能となる。
【００１７】
請求項９に記載の芝刈機によれば、回転刃の進行方向前方側には、回転刃と独立して高さ方向に位置調節可能な櫛状部材が配設され、回転刃の高さや芝の状態に応じて櫛状部材の高さを調整し、倒れた芝を起こして刈り取ることができるため、均一な芝刈高さを得ることが可能となる。
【図面の簡単な説明】
【００１８】
【図１】本発明を適用した芝刈機の実施の形態に係る側面図
【図２】本発明を適用した芝刈機の実施の形態に係る底面図
【図３】本発明を適用した芝刈機に設けた櫛状部材に係る斜視図
【図４】本発明を適用した芝刈機の実施の形態に係る本体カバーを外した状態の平面図
【図５】図２及び図４のＸ―Ｘ線に沿った断面図
【図６】本発明を適用した芝刈機の効果を示す概念図
【発明を実施するための形態】
【００１９】
本発明を適用した芝刈機の実施の形態について図１から図６に基づき説明する。図１は本発明を適用した芝刈機１の側面図、図２は本発明を適用した芝刈機１を下から見た底面図であり、図２中の矢印は第一回転刃２１及び第二回転刃２２の回転方向を示す。
【００２０】
図１において、芝刈機本体１は、シャーシ２、本体カバー３、ハンドル部４を備えている。シャーシ２には、前方底部に左右一対の車輪７及び後方底部にローラ８が、夫々回転自在に支持されている。
【００２１】
本体カバー３は内部に空洞部を備えると共に、シャーシ２に固定され、シャーシ２に配設された後述する各種部品を覆っている。ハンドル部４は本体カバー３の後方に延出して設けられ、本体カバー３に対して所定の範囲内で回動可能に取り付けられている（以下、本明細書中において芝刈機本体１のハンドル部４が設けられた側を進行方向後方、その反対を進行方向前方として説明する）。ハンドル部４の下方には、刈り取った芝や草を収容するための集草袋６が設けられている。また、本体カバーの上面からは、後述する刈込み高さ調整レバー及び芝起こし高さ調整レバーなどの操作部類が露出して設けられている。
【００２２】
ハンドル部４にはスイッチ機構５及び図示しない電源ケーブルが設けられ、集草袋６は本体カバー３後方に着脱自在に取り付けられている。
【００２３】
図２において、シャーシ２の中央底部には、夫々が回転刃及び固定刃からなる２組の切断部が設けられており、第一切断部を構成する第一回転刃２１および第一固定刃２３と、第二切断部を構成する第二回転刃２２および第二固定刃２４とがそれぞれ幅方向に並列に配置されている。
【００２４】
第一切断部および第ニ切断部は、シャーシ２側から延びる第一固定軸１７および第二固定軸１８と同軸上に設けられており、固定刃支持具２５によって所定の間隔を保持するよう固定されている。
【００２５】
第一切断部および第二切断部の進行方向前方側には、進行方向に向かって櫛状に構成された櫛状部材１１が配設されている。櫛状部材１１は、第一回転刃２１および第二回転刃２３の円周方向において略半円周分の領域を覆っており、更に円周方向に沿った形状であることにより第一回転刃２１および第二回転刃２３との間隔が回転方向において一定に保たれた状態で配設されている。
【００２６】
図３に示すよう櫛状部材１１は、底面部１１ａ、傾斜部１１ｂ、取付部１１ｃを有し、底面部１１ａと傾斜部１１ｂの間に回転刃及び固定刃が位置するよう配設されている。
【００２７】
車輪７及びローラ８は、刈込高さ調整機構であるリンク機構９を介して設けられており、作業者が本体カバー３から突出したリンク機構９に接続された刈込高さ操作部材１０を操作することで、リンク機構９が作動して車輪７及びローラ８の高さが変更され、任意の刈込高さを得ることが可能である。
【００２８】
また、本体カバー３には櫛状部材１１の取付部１１ｃに接続された櫛状部材操作部材３３が設けられ、作業者が櫛状部材操作部材３３を操作することにより、櫛状部材１１の高さを任意に設定することができる。また、取付部１１ｃは傾斜部１１ｂと略平行な傾斜角度となっているため、高さ位置の設定によって、第一回転刃２１および第二回転刃２３と傾斜部１１ｂとの前後の間隔は変化しない。
【００２９】
図４に芝刈機１の本体カバー３を除いて上から見た平面図を、図５に芝刈機１の断面図（図２及び図４中のＸ−Ｘ断面図）を示す。図４において、回転伝達手段である第一ピニオン１３、第二ピニオン１４、及び、第一ギヤ１５、第二ギヤ１６の歯先円を破線で示し、矢印はこれらの回転方向を示す。また、図４において櫛状部材１１はその先端位置を説明するために記載したものであり、実際には回転伝達手段の各部品より紙面奥方向に配置されている。
【００３０】
シャーシ２に固定されたモータ１２は、その回転駆動力を出力するための出力軸１２ａを備え、出力軸１２ａには第一ピニオン１３が固定されている。出力軸１２ａはシャーシ２を貫通しており、第一ピニオン１３はシャーシ２の下面に位置している。
【００３１】
第一ギヤ１５及び第二ギヤ１６は、それぞれシャーシ２に固定された第一固定軸１７、第二固定軸１８に対して回転可能に支持されている。第一回転刃取付盤１９及び第二回転刃取付盤２０はそれぞれ第一固定軸１７、第二固定軸１８に回転可能に支持され、それぞれ第一ギヤ１５、第二ギヤ１６と一体となって回転する。さらに、第一回転刃取付盤１９及び第二回転刃取付盤２０にはそれぞれ第一回転刃２１、第二回転刃２２が固定されている。
【００３２】
一方、第一固定軸１７及び第二固定軸１８の先端にはそれぞれ第一固定刃２３、第二固定刃２４が固定されており、第一回転刃２１と第一固定刃２３、第二回転刃２２と第二固定刃２４が同軸状に重なるように配置されている。また、第一ギヤ１５と第一回転刃取付盤１９の間及び第二ギヤ１６と第二回転刃取付盤２０の間にはスプリング２７が圧縮した状態で配置されており、第一回転刃２１と第一固定刃２３、第二回転刃２２と第二固定刃２４が常に擦れ合うように付勢されている。
【００３３】
送風ファン２８が固定された回転軸２９はシャーシ２に対して回転可能に支持され、回転軸２９の先端には第二ピニオン１４が固定されている。第一ピニオン１３、第二ピニオン１４、第一ギヤ１５、第二ギヤ１６は、シャーシ２の下面に固定されたギヤカバ３２の内部に位置している。第一ギヤ１５は第一ピニオン１３及び第二ギヤ１６に、第二ギヤ１６は第一ギヤ１５及び第二ピニオン１４に噛み合うように配設されており、モータ１２の回転は第一ピニオン１３を介して第一ギヤ１５、第二ギヤ１６、第二ピニオン１４に伝達される。
【００３４】
第一回転刃２１及び第二回転刃２２は、本体の底部において同一の回転平面上で回転する。芝刈機本体１の進行方向前方には、開口部３７が、回転刃２１，２２の回転平面より高い位置にその端部を有するよう開口しており、芝が切断し易い状態で芝刈機本体１の内部に進入するようになっている。
【００３５】
第一回転刃２１及び第二回転刃２２は、櫛状部材１１によって進行方向の前方側を覆われており、傾斜部１１ｂ及び底面部１１ａにより画成される領域内に配置されている。傾斜部１１ｂは前方に向かって地面に近づくように形成され、底面部１１ａは地面と平行に形成され、傾斜部１１ｂと底面部１１ａとの距離は前方に向かって減少している。
【００３６】
次に本実施形態の芝刈機の動作について説明する。本実施形態の芝刈機本体１を外部電源に接続し、作業者が図示しない電源ケーブルを外部電源に接続し、スイッチ機構５を操作することでモータ１２が駆動し、第一回転刃２１及び第二回転刃２２が回転する。
【００３７】
ここで作業者は、ハンドル部４を把持して芝刈機本体１を推し進めることで、本体前方の開口部３７から進入した芝や草を、第一回転刃２１と第一固定刃２３、第二回転刃２２と第二固定刃２４の間で鋏み切る様に刈り取り、さらに、送風ファン２８の回転により発生した風がシャーシ２下面に設けられた送風口３１より送り出され、刈り取った芝や草を集草袋６に回収する。
【００３８】
次に、櫛状部材１１の芝を起こし作用について、概念図を用いて説明する。図６に櫛状部材１１の効果を模式的に示す概念図を示す。図６において（Ａ）は芝刈機本体１を正面から見た図、（Ｂ）は側面から見た図であり、図６の（ａ）から（ｄ）は夫々動作の進行を示す。
【００３９】
まず、櫛状部材１１の進行方向前方には、進行方向と略垂直方向に倒れた芝があると仮定する。この場合において、作業者がハンドル部４を把持して芝刈機本体１を押し進めることにより、図６の（ａ）に示すように櫛状部材１１の傾斜部１１ｂが倒れている芝３６の下に入りこむ。ここで芝刈機本体１を更に推し進めることにより、図６の（ｂ）から（ｃ）へと次第に芝３６を起こしていき、図６の（ｄ）に示すように芝３６が回転刃２１（２２）と固定刃２３（２４）の位置まで進むと、正立した状態で刈り取ることが可能である。
【００４０】
尚、回転刃２１（２２）側に倒れた芝３６は、櫛状部材１１に設けられた底面部１１ａによって、進行方向に押し進めるのみで起こすことが可能であり、同様に正立した状態で刈り取ることができる。
【００４１】
これにより、刈込高さが均一となり、より良好な仕上がりを得ることが可能となる。
【００４２】
さらに、刈込高さ操作部材１０を操作して刈込高さを高くした場合は、櫛状部材操作部材３３を操作することで櫛状部材１１を低い位置に移動することができる。これにより、刈込高さが高い場合であっても倒れている芝の下に櫛状部材が入り易く、芝を起こして刈り取ることが可能となる。
【００４３】
ここで、芝刈機本体１においては、電動モータ１２を備えたシャーシ２の底部に、駆動源の駆動を受けて回転する円盤状の回転刃２１（２２）を設け、本体前方の開口部３７より進入した芝を切断するよう構成し、回転刃２１（２２）の進行方向前方側に、回転刃２１（２２）を円周方向に沿って覆う櫛状部材１１を配設したことにより、石などの異物が回転刃に接触しにくくなり、回転刃２１（２２）の破損が発生しにくくなる。
【００４４】
また、回転刃２１（２２）の高さを調節する高さ調整機構３３を備え、櫛状部材１１は、回転刃２１（２２）と独立して高さ方向に位置調節可能に設けられていることにより、芝の状態や必要に応じて櫛状部材を用いることが可能となる。
【００４５】
また、櫛状部材１１は、回転刃２１（２２）の回転平面に対して略平行な底面部と、回転刃２１（２２）に対して傾斜した傾斜部１１ｂとを有する芝起こし手段を備えていることにより、倒れた芝をより起こし易くすることが可能となる。
【００４６】
また、櫛状部材１１は、回転刃２１（２２）の回転平面に対して略平行な底面部１１ａと、回転刃に対して傾斜した傾斜部１１ｂとを有し、底面部と傾斜部とから成る領域が、進行方向前方に向かうにつれて狭まるよう構成されると共に、回転刃は領域内に位置することにより、回転刃の全面側を確実に覆うことができる。
【００４７】
また、回転刃２１（２２）と同軸上に重なる位置に配設され、回転刃２１（２２）との摺り合わせによって芝の切断作業を行う一対の切断部２１，２３及び２２、２４を構成する固定刃を備えているため、回転刃２１（２２）と固定刃２３（２４）の間で挟み切る様に芝を刈り取るため、芝の仕上がりをよりきれいにすることが可能となる。
【００４８】
また、回転刃２１（２２）は固定刃２３（２４）側に付勢されていると共に、固定刃２３（２４）に対して軸方向に移動可能に構成されているため、枝などを噛み込んだ際に衝撃を逃がすことができ、振動や衝撃を緩和させることが可能となる。
【００４９】
また、駆動源１２を覆う本体カバー３を備え、櫛状部材１１の位置を操作する位置調整レバー３３が前記本体カバーから露出して操作可能に設けられているため、容易に位置調整を行うことが可能である。
【００５０】
また、櫛状部材１１は、進行方向前方側の縁部が、回転刃２１（２２）に沿って円弧状に形成されているため、幅方向に均一な芝刈り高さを得ることが可能となる。
【００５１】
また、回転刃の進行方向前方側には、回転刃２１（２２）と独立して高さ方向に位置調節可能な櫛状部材が配設され、回転刃２１（２２）の高さや芝の状態に応じて櫛状部材の高さを調整し、倒れた芝３６を起こして刈り取ることができるため、均一な芝刈高さを得ることが可能となる。
【００５２】
本実施の形態においては、回転鋏式芝刈機に本発明を適用したが、ロータリー式芝刈機など、他の方式の芝刈機に適用することも可能である。また、櫛状部材の位置調整は、並進や回動など、製品に合わせて任意の手段を用いることが好ましい。
【符号の説明】
【００５３】
１．芝刈機本体    ２．シャーシ    ２ａ．シャーシ取付部    ３．本体カバー    ４．ハンドル部    ５．スイッチ機構    ６．集草袋    ７．車輪    
８．ローラ    ８ａ．ローラ軸    ９．リンク機構    １０．刈込高さ操作部材    １１．櫛状部材    １１ａ．櫛状部材底面部    １１ｂ．櫛状部材傾斜部    １１ｃ．櫛状部材取付部    １２．モータ    １２ａ．出力軸    １３．第一ピニオン    １４．第二ピニオン    １５．第一ギヤ    １６．第二ギヤ    １７．第一固定軸    １８．第二固定軸    １９．第一回転刃取付盤    ２０．第二回転刃取付盤    ２１．第一回転刃    ２２．第二回転刃    ２３．第一固定刃    ２４．第二固定刃    ２５．固定刃支持具    ２６．固定刃取付ボルト    ２７．スプリング    ２８．送風ファン    ２９．回転軸    ３０．ファンカバ    ３１．送風口    ３２．ギヤカバ    ３３．櫛状部材操作部材    ３４．固定軸用ナット    ３５．ファン固定ナット    ３６．芝
【図１】
2010273642.tif 000003
【図２】
2010273642.tif 000004
【図３】
2010273642.tif 000005
【図４】
2010273642.tif 000006
【図５】
2010273642.tif 000007
【図６】
2010273642.tif 000008